(57)【特許請求の範囲】
【請求項１】
サッシの左・右枠および上・下枠に固定して、該サッシと４個所の隅角部を直角に維持して方形状に保型して固定することができる井桁状の保型部材を形成する一方、前記サッシを固定する保型部材を前面部に宙吊りに保持固定して、前記サッシを前後・左右および上下方向に移動自在とした移動部材により、前記サッシを取付開口部にセンターを取り、水平、且つ垂直に位置決めするサッシ位置決め装置であって、前記井桁状の保型部材は、細巾の金属片を各２本ずつ間隔を有して直角に交差して井桁状にした、前記サッシの巾および高さより小さい保型部材を形成すると共に、該保型部材を構成する各金属片の端部には、長さを調整する各調整片が連結固定され、更に前記各調整片の先方には、前記サッシの左・右枠および上・下枠の内側面に圧着固定する形状を備えた硬質合成樹脂製の左・右枠および上・下枠用ピースがそれぞれ取付けられて形成される一方、前記保型部材を前方側に保持固定して、前後、左右および上下方向に移動自在な移動部材は、下面にキャスターを有するレベル調整部材を備えて床面に設置する基台、該基台上に左右方向へ移動する左右方向移動部材、該左右方向移動部材上に前後方向に移動する前後方向移動部材、該前後方向移動部材上に上下方向移動部材をそれぞれ備えると共に、水平および垂直なレーザー光を照射するレーザー装置を備えて形成され、且つ前記レベル調整部材により移動部材を水平に保持固定すると共に、前記左右方向移動部材、前後方向移動部材および上下方向移動部材により、前記サッシを固定した保型部材を前後・左右および上下方向に移動させる一方、レーザー装置により水平および垂直なレーザー光を照射して、該水平レーザー光を壁面に予め表示された水平返し墨、前記垂直レーザー光を壁面の中央に予め表示されたセンター返し墨に一致させると共に、前記垂直レーザー光を壁面の一側面に予め表示された垂直返し墨と前記サッシの外側縁にそれぞれ一致させることにより、サッシを壁面の取付開口部に、水平位置、センター位置および垂直位置を調整して位置決めし、且つ前記位置決めされたサッシを取付開口部に溶接して固定できるようにしたことを特徴とするサッシ位置決め装置。
【発明の詳細な説明】
【技術分野】
【０００１】
本発明は、サッシをビル等の取付開口部に取付ける際に、高度な技能を有する熟練工による作業を必要とせず、極めて簡単に且つ短時間に、ビル等の開口取付部にセンターを取り、水平、且つ垂直に位置決めして、所定の位置に固定できるようにしたサッシ位置決め装置に関するものである。
【背景技術】
【０００２】
従来一般に使用されているサッシ位置決め方法は、（１）サッシの取付開口部に結束線等でサッシをぶら下げ、（２）木製キャンバーを四方に打ち込んで仮固定し、（３）仕上げ位置を調整するため、下げ振り、金尺、メジャー等を使用して、（ａ）サッシ芯、（ｂ）レベル、（ｃ）出入り（壁芯に合わせる）、（ｄ）垂直、（ｅ）菱（四隅の隅角部を直角にして方形とする）合わせを行ない、サッシのよじれ・はらみを修正した後、溶接固定する方法が行われている。
【０００３】
また、サッシ位置決め装置につき、過去の特許文献を遡及検索したところ、下記の特許文献に開示されたフォークリフトを使用する「サッシ窓の取付装置およびその取付方法」が開示されている。
【先行技術文献】
【特許文献】
【０００４】
【特許文献１】特許第３９６７７１４号公報
【発明の概要】
【発明が解決しようとする課題】
【０００５】
前記従来一般に使用されているサッシ位置決め方法は、極めて高度な技能を有する熟練工による作業が必要であると共に、その位置決めに手間と時間がかかり、極めて高度な熟練工であっても２５分以上の作業が必要となるので、コスト高になるという課題があった。また、前記特許文献１記載の「サッシ窓の取付装置およびその取付方法」では、フォークリフトを使用するため、サッシ窓の位置決めに当っては、フォークリフトの熟練した運転者が必要であると共に、サッシ窓を水平、且つ垂直にするのに手間がかかるので取付けに時間がかかり、従ってコスト高になるという課題があった。
【０００６】
本発明は、前記課題を解決すべくなされたもので、サッシの位置決めに、従来のような結束線や木製キャンバー等を必要とせず、またサッシのよじれ・はらみの修正も必要とせず、極めて技能を有する高度な熟練工による作業も必要とせず、極めて簡単にコンクリート等の開口取付部にサッシの位置決めができ、また位置決めまでの所要時間も１０分以下と極めて短時間にできるサッシ位置決め装置を提供しようとするものである。
【課題を解決するための手段】
【０００７】
本発明は、サッシの左・右枠および上・下枠に固定して、該サッシと４個所の隅角部を直角に維持して方形状に保型して固定することができる井桁状の保型部材を形成する一方、前記サッシを固定する保型部材を前面部に宙吊りに保持固定して、前記サッシを前後・左右および上下方向に移動自在とした移動部材により、前記サッシを取付開口部にセンターを取り、水平、且つ垂直に位置決めするサッシ位置決め装置であって、前記井桁状の保型部材は、細巾の金属片を各２本ずつ間隔を有して直角に交差して井桁状にした、前記サッシの巾および高さより小さい保型部材を形成すると共に、該保型部材を構成する各金属片の端部には、長さを調整する各調整片が連結固定され、更に前記各調整片の先方には、前記サッシの左・右枠および上・下枠に圧着固定する形状を備えた硬質合成樹脂製の左・右枠および上・下枠用ピースがそれぞれ取付けられて形成される一方、前記保型部材を前方側に宙吊りに保持固定して、前後、左右および上下方向に移動自在な移動部材は、下面にキャスターを有するレベル調整部材を備えて床面に設置する基台、該基台上に左右方向へ移動する左右方向移動部材、該左右方向移動部材上に前後方向に移動する前後方向移動部材、該前後方向移動部材上に上下方向移動部材をそれぞれ備えると共に、水平および垂直なレーザー光を照射するレーザー装置を備えて形成され、且つ前記レベル調整部材により移動部材を水平に保持固定すると共に、前記左右方向移動部材、前後方向移動部材および上下方向移動部材により、前記サッシを固定した保型部材を前後・左右および上下方向に移動させる一方、レーザー装置により水平および垂直なレーザー光を照射して、該水平レーザー光を壁面に予め表示された水平返し墨、前記垂直レーザー光を壁面の中央に予め表示されたセンター返し墨に一致させると共に、前記垂直レーザー光を壁面の一側面に予め表示された垂直返し墨と前記サッシの外側縁にそれぞれ一致させることにより、サッシを壁面の取付開口部に、水平位置、センター位置および垂直位置を調整して位置決めし、且つ前記位置決めされたサッシを取付開口部に溶接して固定できるようにするという手段を採用することにより、上記課題を解決した。
【発明の効果】
【０００８】
前記構成より成る本発明によれば、サッシの左・右枠および上・下枠に固定して、該サッシと４個所の隅角部を直角に維持して方形状に保型して固定した井桁状の保型部材を移動部材の前面部に宙吊りに保持固定して、前記サッシを前後・左右および上下方向に移動自在とした移動部材により、前記サッシを取付開口部において移動させて調整して微調整して、前記取付開口部においてセンターを取り、水平、且つ垂直に位置決めすることができるので、サッシの位置決めに従来のような結束線や木製キャンバー等を必要とせず、またサッシのよじれ・はらみの修正も必要とせず、極めて簡単にビル等の開口取付部に位置決めでき、またサッシの位置決めまでの所要時間も１０分以下と極めて短時間にできるという優れた効果を奏することができる。
【図面の簡単な説明】
【０００９】
【図１】本発明サッシ位置決め装置を、移動部材を想像線で示した全体の正面図である。
【図２】本発明サッシ位置決め装置を構成する移動部材を左斜め方向から見た斜視図である。
【図３】本発明サッシ位置決め装置を構成する移動部材を右斜め方向から見た斜視図である。
【図４】本発明サッシ位置決め装置を構成する移動部材の正面図である。
【図５】本発明サッシ位置決め装置を構成する移動部材の背面図である。
【図６】本発明サッシ位置決め装置において、サッシを移動部材の前面部の保型部材に取付けた状態を一部を切り欠いて示す全体の左側面図である。
【図７】本発明サッシ位置決め装置において、サッシ（想像線）を移動部材の前面部の保型部材に取付けた状態を示す全体の右側面図である。
【図８】本発明サッシ位置決め装置において、保型部材にサッシを固定して、壁面の取付開口部に位置せしめた状態を移動部材を省略して示す全体の正面図である。
【図９】本発明サッシ位置決め装置において、サッシの左枠に左枠用ピースを介して調整片を取付けた状態を正面側から見た要部の拡大斜視図である。
【図１０】本発明サッシ位置決め装置において、サッシの左枠に左枠用ピースを介して調整片を取付けた状態を背面側から見た要部の拡大斜視図である。
【図１１】本発明サッシ位置決め装置において、サッシの右枠に右枠用ピースを介して調整片を取付けた状態を正面側から見た要部の拡大斜視図である。
【図１２】本発明サッシ位置決め装置において、サッシの右枠に右枠用ピースを介して調整片を取付けた状態を背面側から見た要部の拡大斜視図である。
【図１３】本発明サッシ位置決め装置において、サッシの上枠に上枠用ピースを介して調整片を取付けた状態を正面側から見た要部の拡大斜視図である。
【図１４】本発明サッシ位置決め装置において、サッシの上枠に上枠用ピースを介して調整片を取付けた状態を背面側から見た要部の拡大斜視図である。
【図１５】本発明サッシ位置決め装置において、サッシの下枠に下枠用ピースを介して調整片を取付けた状態を正面側から見た要部の拡大斜視図である。
【図１６】本発明サッシ位置決め装置において、サッシの下枠に下枠用ピースを介して調整片を取付けた状態を背面側から見た要部の拡大斜視図である。
【実施例】
【００１０】
本発明の実施例を図面に基づいて詳細に説明する。本発明サッシ位置決め装置は、サッシ１の左・右枠１ａ・１ｂおよび上・下枠１ｃ・１ｄに固定して、該サッシ１を４個所の隅角部を直角に維持して方形状に保型して宙吊り固定することができる井桁状の保型部材２を形成する一方、前記サッシ１を固定する保型部材２を前面部に保持固定して、ビル等の壁面Ｗの取付開口部Ｋにおいて、前記サッシ１を前後・左右および上下方向に移動自在として、開口取付部Ｋにセンターを取り、水平、且つ垂直に位置決めできるようにした移動部材３を備えて形成されている。
【００１１】
前記井桁状の保型部材２は、アルミや鋼製の細巾の横方向金属片４ａと縦方向金属片４ｂとを各２本ずつ間隔を有して直角に交差して井桁状に連結固定して、前記サッシ１の巾および高さより短かく形成されると共に、前記各金属片４ａ・４ｂの端部には、サッシメーカーによってサッシ１の巾および高さが異なるので、いずれのメーカーのサッシ１に対応できるよう、その長さを調整することができる調整片５ａ〜５ｄがそれぞれ連結固定できるよう形成されている。
【００１２】
前記各調整片５ａ〜５ｄは、これを固定するサッシ１の左・右枠１ａ・１ｂおよび上・下枠１ｃ・１ｄによりその形状をそれぞれ異にしている。そして、前記各調整片５ａ〜５ｄの構成は、特に限定する必要はないが、好ましくは、図９〜図１６に示すような構成とすることが推奨される。
【００１３】
前記サッシ１の左・右枠１ａ・１ｂに対応する調整片５ａ・５ｂは、長さ調整用の長孔６がそれぞれ穿設された各横方向金属片４ａの端縁部に摺接して重合すると共に、前記長孔６に固定螺子７を貫挿して、該固定螺子７の先端部を各調整片５ａ・５ｂに穿設された螺子孔８に螺挿し、前記長孔６をガイドとして各調整片５ａ・５ｂを左右方向に移動して、その長さを調整した後、前記固定螺子７を緊締して前記長孔６より径大に形成された頭部９を、前記長孔６の外側縁部に圧着することにより、前記各横方向金属片４ａと各調整片５ａ・５ｂは長さを調整して固定できるよう形成されている。
【００１４】
そして、前記サッシ１の上・下枠１ｃ・１ｄに対応する調整片５ｃ・５ｄは、前記各縦方向金属片４ｂの上・下端部の後方側に、それぞれ上・下部補助片１０ａ・１０ｂの下・上方部を摺接重合して連結固定すると共に、前記調整片５ｃ・５ｄに長さ調整用の長孔６が穿設され、且つ該調整片５ｃ・５ｄを前記上・下部補助片１０ａ・１０ｂの端縁部前方側に摺接して重合すると共に、前記長孔６に固定螺子７を貫挿して、該固定螺子７の先端部を各補助片１０ａ・１０ｂに穿設された螺子孔８に螺挿し、前記長孔６をガイドとして各調整片５ｃ・５ｄを上下方向に移動して、その長さを調整した後、前記固定螺子７を緊締して前記長孔６より径大に形成された頭部９を、前記長孔６の外側縁部に圧着することにより、前記各縦方向金属片４ｂと各調整片５ｃ・５ｄとは，前記補助板１０ａ・１０ｂを介して長さを調整して固定できるよう形成されている。
【００１５】
また、前記各調整片５ａ〜５ｄの端縁部側には、保型部材２をサッシ１の左・右枠１ａ・１ｂおよび上・下枠１ｃ・１ｄに圧接して固定するためのピース１１〜１４がそれぞれ連結固定されている。前記ピース１１〜１４は、前記サッシ１の左・右枠１ａ・１ｂおよび上・下枠１ｃ・１ｄの断面形状がそれぞれ異なると共に、サッシメーカーによってもその断面形状がそれぞれ異なっているので、それぞれの形状に対応できるよう形成する必要がある。そして、前記各ピース１１〜１４の構成は、特に限定する必要はないが、好ましくは、図９〜図１６に示すような構成とすることが推奨される。
【００１６】
本実施例においては、前記各調整片５ａ〜５ｄは、図示しているサッシ１に取付けるものとして説明する。サッシ１の左・右枠１ａ・１ｂは、その対向する内側面に引違いサッシ窓(図示せず)の左・右框に摺接する縦突条１５・１６が、前記左・右枠１ａ・１ｂにそれぞれその位置を異にして突設されている。サッシ１の左枠１ａの２本の縦突条１５に嵌挿できる凹溝１７を凹設すると共に、該左枠１ａの内側面に圧着できる巾とした硬質合成樹脂製の長方形状の左枠用ピース１１が形成され、更に、サッシ１の右枠１ｂの縦突条１６に嵌挿できる凹溝１８を凹設すると共に、該右枠１ｂの内側面に圧着できる巾とした硬質合成樹脂製の長方形状の右枠用ピース１２が形成されている。
【００１７】
また、前記サッシ１の上枠１ｃは、天板１９の下面に引違いサッシ窓（図示せず）の上框に摺接する横突条２０を垂設して、後方側に水平面２１を設け設けて形成され、更に前記横突条２０と水平面２１に当接する巾を有する硬質合成樹脂製の長方形状の上枠下面用ピース１３ａ、および上枠1ｃの天板１９の上面２２と前記水平面２１の後端縁に当接する鉤状の硬質合成樹脂製の上枠上面用ピース１３ｂがそれぞれ形成されている。
【００１８】
更に、前記サッシ１の下枠１ｄは、底板２３の上面の後方側に間隔を有して２本の横突条２４を突設して凹溝２５を設けて形成され、更に前記凹溝２５に嵌合できる巾を有する硬質合成樹脂製の長方形状の下枠上面用ピース１４ａ、および下枠1ｄの底板２３の下面と前記横突条２４の前端縁に当接する鉤状の硬質合成樹脂製の下枠下面用ピース１４ｂがそれぞれ形成されている。
【００１９】
前記構成より成る各ピース１１〜１４は、それぞれ井桁状の保型部材２の各金属片４ａ・４ｂの各先端に連結固定された各対応する各調整片５ａ〜５ｄに連結固定される。そして、前記各調整片５ａ〜５ｄへの各ピース１１〜１４の連結固定は、特に限定する必要はないが、好ましくは、図９〜図１６に示すような構成とすることが推奨される。
【００２０】
前記サッシ１の左・右枠１ａ・１ｂに装着固定する左・右枠用ピース１１・１２は、前記左・右枠１ａ・１ｂに対応する各調整片５ａ・５ｂの各先端部前方側に、該各調整片５ａ・５ｂの各先端縁と面一となるようにして取付プレート２６ａ・２６ｂをボルト２７により一体に連結固定する一方、該各取付プレート２６ａ・２６ｂの上下２個所に貫通孔２８を貫通して設け、且つ該貫通孔２８に径大な頭部２９を備えたガイド杆３０をそれぞれ遊挿し、且つ該ガイド杆３０の先端を前記左・右枠用ピース１１・１２に固定すると共に、前記左・右枠用ピース１１・１２と各取付プレート２６ａ・２６ｂ間の各ガイド杆３０に押しばね３１を遊挿配設して形成されている。
【００２１】
前記構成より成る左・右枠用ピース１１・１２を、前記左・右枠１ａ・１ｂに圧着固定する場合、前記左・右枠用ピース１１・１２を手で握って、押しばね３１に抗して、前記ガイド杆３０をガイドとしてそれぞれ内側方向へ押圧して移動させて、該左・右枠用ピース１１・１２の各凹溝１７・１８を前記左・右枠用ピース１１・１２の各突条１５・１６に臨ませて所定の取付位置において手を離すと、前記押しばね３１が弾発して、前記左・右枠用ピース１１・１２はそれぞれ凹溝１７・１８が縦突条１５・１６に嵌挿して、前記左・右枠１ａ・１ｂに圧着して固定される。
【００２２】
そして、左・右枠用ピース１１・１２を前記左・右枠１ａ・１ｂから取外す場合は、前記各左・右枠用ピース１１・１２を手で握って、押しばね３１に抗して内側方向へ移動させて、前記各左・右枠用ピース１１・１２の圧着状態を解除することによって取外すことができる。
【００２３】
また、前記上枠用の調整片５ｃに上枠上面用ピース１３ｂおよび上枠下面用ピース１３ａを取付ける場合、該上枠用の調整片５ｃの上端部およびそのやや下方側に、取付プレート２６ｃ・２６ｄをそれぞれボルトにより一体に連結固定する一方、該取付プレート２６ｄの両側２個所に貫通孔３２を貫通して設け、且つ該各貫通孔３２に径大な頭部３３を備えたガイド杆３４をそれぞれ遊挿し、且つ該各ガイド杆３４の上端を前記上枠下面用ピース１３ａに固定すると共に、前記取付プレート２６ｄの中央に送りねじ杆３５を螺挿する一方、該送りねじ杆３５の先端を前記上枠下面用ピース１３ｂに回動可能に固定し、且つ前記送りねじ杆３５の下端に手動で回転することができる握りハンドル３６を連結して形成され、更に前記取付プレート２６ｃと上枠１ｃの天板１９間に前記上枠上面用ピース１３ｂを配設できるよう形成されている。
【００２４】
前記上枠用の調整片５ｃをサッシ１の上枠１ｃに取付ける場合、前記取付プレート２６ｃと上枠１ｃの天板１９間に前記上枠上面用ピース１３ｂを配設した後、上枠下面用ピース１３ａを横突条２０の後方側の水平面２１に位置せしめて、握りハンドル３６を手で回転させることにより、取付プレート２６ｄは各ガイド杆３４に案内されて上動し、前記水平面２１に圧着して固定されると共に、前記上枠上面用ピース１３ｂも前記取付プレート２６ｃと天板１９にそれぞれ圧着して固定される。
【００２５】
そして、前記下枠用の調整片５ｄに下枠上面用ピース１４ａおよび下枠下面用ピース１４ｂを取付ける場合、下枠用の調整片５ｄの下端部およびそのやや上方側に、取付プレート２６ｅ・２６ｆをそれぞれボルトにより一体に連結固定する一方、該取付プレート２６ｆの両側２個所に貫通孔３７を貫通して設け、
且つ該各貫通孔３７に径大な頭部３８を備えたガイド杆３９をそれぞれ遊挿し、且つ該各ガイド杆３９の下端を前記下枠上面用ピース１４ａに固定すると共に、前記取付プレート２６ｆの中央に送りねじ杆４０を螺挿する一方、該送りねじ杆４０の先端を前記下枠上面用ピース１４ａに回動可能に固定し、且つ前記送りねじ杆４０の上端に手動で回転することができる握りハンドル４１を連結して形成され、更に前記取付プレート２６ｅと下枠１ｄの底板２３間に前記下枠下面用ピース１４ｂを配設できるよう形成されている。
【００２６】
前記下枠用の調整片５ｄをサッシ１の下枠１ｄに取付ける場合、該下枠１ｄの底板２３と取付プレート２６ｅ間に下枠下面用ピース１４ｂを配設した後、下枠上面用ピース１４ａを下枠１ｄの横突条２４を突設した凹溝２５上に位置せしめて、前記握りハンドル４１を手で回転させることにより、取付プレート２６ｆは各ガイド杆３９に案内されて下動し、前記凹溝２５に圧着して固定されると共に、前記下枠下面用ピース１４ｂも前記取付プレート２６ｅと底板２３にそれぞれ圧着して固定される。
【００２７】
そして、前記保型部材２を前方側に保持固定して、前後、左右および上下方向に移動自在な移動部材３は、床面４２に設置固定する基台４３、該基台４３上に左右方向へ移動する左右方向移動部材４４、該左右方向移動部材４４上に前後方向へ移動する前後方向移動部材４５、該前後方向移動部材４５上に上下方向へ移動する上下方向移動部材４６をそれぞれ備え、更に水平および垂直レーザー光を照射して、前記保型部材２に固定されたサッシ１が水平、且つ垂直状態に保持されているか否かを確認することができるレーザー装置４７を備えて形成されている。
【００２８】
前記移動部材３を構成する基台４３は、方形枠状に連結固定して形成された基枠４８の内側面に、間隔を有して縦方向および横方向に、複数本の補強板４９を連結固定する一方、前記基枠４９の後方側端部の内側中央に設けられた取付片５０ａ、および前記基枠４９の前方側両側端部の内側に設けられた取付片５０ｂの３個所に、レベル調整部材５１を設置して構成されている。
【００２９】
前記各レベル調整部材５１は、それぞれ回転ハンドル５２を上端に設けた送りねじ杆５３が、設けられた取付片５０ａ、および前記基枠４９の前方側両側端部の内側に設けられた取付片５０ｂに螺挿され、且つ該各送りねじ杆５３の下端に、床面４２上を移動できるようにキャスター５４が連結されると共に、該各キャスター５４のうち、少なくとも前記基枠４９の後方側端部の内側中央に位置するキャスター５４にストッパー５５を設けて形成されており、前記３個所のレベル調整部材５１の各回転ハンドル５２を正・逆回転させることにより、本発明装置全体のレベルを水平に調整することができる。なお、前記レベルを水平に調整する場合、特に限定する必要はないが、目視しやすい位置である前後方向移動部材４５の後方側端部および右端部の２個所に亘って設置された水平器５６を目視しながら調整する。
【００３０】
前記移動部材３を構成する左右方向移動部材４４は、前記基台４３の基枠４８上に間隔を有して複数本立設固定された支脚５７上に固定された、前端縁に対向する突片５８を延設して略凹型状をした固定枠板５９上に左右動自在なるように設置されている。
【００３１】
すなわち、前記左右方向移動部材４４は、前記固定枠板５９の両側板５９ａの前・後部上に、各スライドシャフト６０がその両端部を受座６１にそれぞれ固定して設置されると共に、該各スライドシャフト６０には、間隔を有して２個のスライドベアリング６２がそれぞれ左右動自在になるように軸装され、且つ前記各スライドシャフト６０に軸装された各スライドベアリング６２上に、前端縁に対向する突片６３を延設して略凹形状をした左右方向移動枠板６４の左・右側枠杆６４ａ・６４ｂの前・後方側下面がそれぞれ固定されると共に、該左右方向移動枠板６４の下面横方向中央部に左右方向移動ねじ部材６５が設置されて、前記左右方向移動枠板６４が左右動できるように形成されている。
【００３２】
前記左右方向移動ねじ部材６５は、前記固定枠板５９の一方側板５９ａの中央部に設置された軸受６６に、左右方向送りねじ杆６７の一端部側が回転自在に軸支され、且つ該左右方向送りねじ杆６７の他端部は軸受で軸支されることなくフリーとされると共に、前記左右方向送りねじ杆６７の一端部に回転ハンドル６８が固定され、更に、前記左右方向送りねじ杆６７は前記左右方向移動枠板６４の左・右側枠杆６４ａ・６４ｂのうち、一方側（実施例においては、右側枠杆６４ｂ）に螺挿されて形成されている。前記回転ハンドル６８を回転させることにより、前記左右方向送りねじ杆６７が回転して前記各スライドベアリング６２にガイドされて、左右方向移動枠板６４が左方向、または右方向へ移動する。
【００３３】
前記移動部材３を構成する前後方向移動部材４５は、前記左右方向移動部材４４の左右方向移動枠板６４上の前方側の両突片６３上と、該左右方向移動枠板６４の左・右側枠杆６４ａ・６４ｂの後方側に支架固定された横杆６９上に設置されている。
【００３４】
すなわち、前記左右方向移動枠板６４上の両突片６３と横杆６９上には、各スライドシャフト７０がその両端部を受座７１にそれぞれ固定して設置されると共に、該各スライドシャフト７０にスライドべアリング７２が前後動自在なるように軸装されている。そして、前記各スライドシャフト７０に軸装された各スライドベアリング７２上に前後方向移動方形枠７３の左・右側枠杆７３ａ・７３ｂの下面が固定されると共に、該前後方向移動方形枠７３の後方側枠杆７３ｃの下面一方側寄りに偏位した位置に、前後移動ねじ部材７４が設置されて、前記前後移動方形枠７３が前後動できるよう形成されている。
【００３５】
前記前後移動ねじ部材７４は前記左右方向移動枠板６４上の後方側に支架固定された横杆６９の一方側寄りに偏位した位置に設置された軸受７５に、前後方向送りねじ杆７６の基部側が回転自在に軸支され、且つ該前後方向送りねじ杆７６の他端部は軸受で軸支されることなくフリーとされると共に、該前後方向送りねじ杆７６の基端部に回転ハンドル７７が固定され、更に、前記前後方向送りねじ杆７６は、前記前後方向移動方形枠７３の後方側枠杆７３ｃに螺挿されて形成されている。前記回転ハンドル７７を回転させることにより、前記前後方向送りねじ杆７６が回転して、前記スライドベアリング７２にガイドされて、前後方向移動方形枠７３が前方向、または後方向へ移動する。
【００３６】
また、前記移動部材３を構成する上下方向移動部材４６は、前記前後移動方形枠７３上に上下動自在となるように設置されている。前記前後移動方形枠７３の左・右側枠杆７３ａ・７３ｂの各前端部上部に固設された受座７８に、それぞれスライドシャフト７９の下端が固定されると共に、該各スライドシャフト７９の上端部が、横方向に配設された連結板８０の両側下面に設けられた受座８１に固定され、且つ該各スライドシャフト７９にスライドベアリング８２がそれぞれ軸装されて回転自在に軸支され、且つ前記前後移動方形枠７３の前方側枠杆７３ｄの一方側に偏位した位置に設けられた軸受８３に上下移動送りねじ杆８４の下端部が軸支されると共に、該上下移動送りねじ杆８４の上方部は前記連結板８０上に設けられた軸受８５を貫通して上方へ突設し、且つ該上下方向送りねじ杆８４の上端に回転ハンドル８６が固定され、更に前記上下移動送りねじ杆８４には長尺状の送りナット８７が螺挿されると共に、該送りナット８７および前記各スライドベアリング８２の前面部に長方形状の連結プレート８８が連結固定して形成されている。
【００３７】
前記連結プレート８８は、前記保型部材２を用いて方形枠状に保型されたサッシ１をその前面側に保持固定する部材である。すなわち、前記連結プレート８８の両端縁に縦長の取付プレート８９が連結固定されると共に、該各取付プレート８９の上下部の背面側に、前記保型部材２の２本の縦方向金属片４ａの中央部付近から、間隔を有して後方側へ水平にそれぞれ突設固定された２本の連結シャフト９０の後端部が、前記取付プレート８９を貫通してボルト等の固定具９１により、該取付プレート８９に一体に連結固定されて形成されている。
【００３８】
更に、前記連結プレート８８の後面側の中央部からやや一方側に偏位した位置から長尺状の保持杆９２が後方側へ水平に延設されると共に、該保持杆９２の後端縁に直角に立設されて上方へ延設された支持杆９３上に台板９４が横方向へ直角に延設され、且つ該台板９４上に水平および垂直なレーザー光を前方側へ照射することができる位置にレーザー装置４７を設置して形成されている。
【００３９】
なお、前記前後方向移動部材４５における前後移動送りねじ杆７６と、前記上下方向移動部材４６における上下移動送りねじ杆８４のいずれも、中央部ではなく一方側に偏位して設置されているので、前記連結プレート８８から後方側へ水平に延設された保持杆９２の後端縁に直角に立設されて上方へ延設された支持杆９３上の台板９４に設置されたレーザー装置４７の縦レーザー光を、前記各ねじ杆７６・８４が障害となることなく前方側へ照射することができる。
【００４０】
また、前記レーザー装置４７は台板９４に設置されているが、該レーザー装置４７は該台板９４を貫通して設けられたねじ杆９５上端に設置されている。そして、該ねじ杆９５を正・逆回転させることにより、前記レーザー装置４７を上下動させて、その高さを調整することができる。
【００４１】
更に、前記レーザー装置４７を保持する保持杆９２は、中央部において蝶番等により直角に折曲できる折曲部９６が設けてあり、該直角に折曲した保持杆９２に設置されたレーザー装置４７からサッシ１の一方の縦枠１ａまたは１ｂに照射して垂直を確認することができる。
【００４２】
前記構成より成る本発明位置決め装置の作用について説明する。先ず、前記各連結シャフト９０を介して移動部材３の前面側に取付けられた保型部材２の各金属片４ａ・４ｂの端部にそれぞれ固定された各調整片５ａ〜５ｄは、サッシ１を構成する左・右枠１a・１ｂおよび上・下枠１ｃ・１ｄの形状に合わせて形成されたピース１１〜１４を連結固定し、左・右枠用ピース１１・１２を手で握って、押しばね３１に抗してそれぞれ内側方向へ移動して位置を調整して手を離すと、前記左・右枠用ピース１１・１２の凹溝１７・１８が左・右枠１ａ・１ｂの縦突条１５・１６に嵌挿して固定され、前記左・右枠用調整片５ａ・５ｂは前記左・右枠用ピース１１・１２を介して左・右枠１ａ・１ｂに固定される。
【００４３】
そして、上枠用調整片５ｃの取付プレート２６ｃと、上枠１ｃの天板１９間に上枠上面用ピース１３ｂを配設した後、上枠下面用ピース１３ａを横突条２０の後方側の水平面２１に位置せしめて、握りハンドル３６を回転すると、取付プレート２６ｄがガイド杆３４に案内されて上動して、前記水平面２１に圧着して固定されると共に、前記上枠上面用ピース１３ｂも天板１９に圧着固定される。
【００４４】
一方、下枠用調整片５ｄの取付プレート２６ｆと下枠１ｄの底板２３間に下枠下面用ピース１４ｂを配設した後、下枠上面用ピース１４ａを下枠１ｄの横突条２４を突設した凹溝２５上に位置せしめて、握りハンドル４１を手で回転させることにより、取付プレート２６ｅがガイド杆３９に案内されて下動し、前記凹溝２５に圧着して固定されると共に、前記下枠下面用ピース１４ｂも底板２３に圧着固定される。
【００４５】
前記のように、各ピース１１〜１４を介して各調整片５ａ〜５ｄをサッシ１の左・右枠１ａ・１ｂおよび上・下枠１ｃ・１ｄに一体に連結固定し、これにより前記サッシ１はよじれ・はらみが修正されて、移動部材３の先方側に一体に宙吊り固定されると共に、前記サッシ１は４個所の各隅角部を直角に維持して菱を取り固定される。
【００４６】
前記移動部材３の先方側にサッシ１を保持した井桁状の保型部材２を保持固定した後、移動部材３をキャスター５４を介して移動させて、前記保型部材２に保持固定したサッシ１を壁面Ｗの取付開口部Ｋ内に位置せしめて、前記移動部材３が床面４２上に水平に設置されているか否かを水平器５６を目視しながら、３個所に設置されたレベル調整部材５１の回転ハンドル５２を正・逆回転させて、前記移動部材３のレベルを水平位置に調整してストッパー５５により固定する。
【００４７】
その後、前記保型部材２に保持固定されたサッシ１が壁面Ｗの取付開口部Ｋにおいて、前記レーザー装置４７により水平および垂直のレーザー光を照射して、該水平および垂直のレーザー光が前記壁面Ｗの取付開口部Ｋの両側中央部に予め表示された水平返し墨９７および前記壁面Ｗの取付開口部Ｋの中央に予め表示されたセンター返し墨９８と一致させると共に、前記垂直のレーザー光が壁面Ｗの取付開口部Ｋの一方側に予め表示された垂直返し墨９９とサッシ１の右枠１ｂの外側縁に一致させることができるように、左右方向移動部材４４の回転ハンドル６８、前後方向移動部材４５の回転ハンドル７７および上下方向移動部材４５の回転ハンドル８６を回転させて、サッシ１を前記開口部Ｋ内において、左右方向、前後方向および上下方向に移動させて位置の微調整をして、前記サッシ１の取付開口部Ｋへの位置決め作業を完了する。
【００４８】
前記サッシ１が取付開口部Ｋに、センターを取り、水平、且つ垂直状態で位置決めが完了すると、前記サッシ１を保型部材２に取付けた状態で、従来工法と同様に、前記サッシ１の外周面を取付開口部Ｋに設けられた鉄筋等の取付部材（図示せず）に溶接補助具（図示せず）を用いて溶接固定して、該取付開口部Ｋに固定する。
【００４９】
前記取付開口部Ｋにサッシ１の溶接固定後、左・右枠用ピース１１・１２の押しばね３１に抗して、前記左・右枠用ピース１１・１２を内方側へ押圧移動して、該左・右枠用ピース１１・１２を左・右枠１ａ・１ｂから取外すと共に、上枠下・上面用ピース１３ａ・１４ｂおよび下枠上・下面用ピース１４ａ・１４ｂを握りハンドル３６・４１を逆回転させて、前各ピース１３ａ・１３ｂ・１４ａ・１４ｂを上・下枠１ｃ・１ｄより取外して、前記保型部材２をサッシ１から取外すことにより、該サッシ１の取付開口部Ｋへの取付作業は完了する
【符号の説明】
【００５０】
１  サッシ、  １ａ  左枠、  １ｂ  右枠、  １ｃ  上枠、  １ｄ  下枠、２  保型部材、  ３  移動部材、  ４ａ  横方向金属片、  ４ｂ  縦方向金属片、  ５ａ〜５ｄ  調整片、  ６  長孔、  ７  固定螺子、  ８  螺子孔、  ９  頭部、  １０ａ・１０ｂ  上・下部補助片、  １１  左枠用ピース、  １２  右枠用ピース、  １３ａ  上枠下面用ピース、  １３ｂ  上枠上面用ピース、  １４ａ  下枠上面用ピース、１４ｂ  下枠下面用ピース、  １５・１６  縦突条、  １７・１８  凹溝、  １９  天板、  ２０  横突条、  ２１  水平面、  ２２  上面、  ２３  底板、  ２４    横突条、  ２５  凹溝、  ２６ａ〜２６ｆ  取付プレート、  ２７  ボルト、  ２８  貫通孔、  ２９  頭部、  ３０  ガイド杆、  ３１  押しばね、  ３２  貫通孔、  ３３  頭部、  ３４  ガイド杆、  ３５  送りねじ杆、  ３６  握りハンドル、３７  貫通孔、  ３８  頭部、  ３９  ガイド杆、  ４０  送りねじ杆、  ４１  握りハンドル、  ４２  床面、  ４３  基台、  ４４  左右方向移動部材、  ４５  前後方向移動部材、  ４６  上下方向移動部材、  ４７  レーザー装置、  ４８  基枠、  ４９  補強板、  ５０ａ・５０ｂ  取付片、  ５１  レベル調整部材、  ５２  回転ハンドル、  ５３  送りねじ杆、  ５４  キャスター、  ５５  ストッパー、  ５６  水平器、  ５７  支脚、  ５８  突片、  ５９  固定枠板、  ５９ａ  固定枠板の両側板、  ６０  スライドシャフト、  ６１  受座、  ６２  スライドベアリング、  ６３  突片、６４  左右方向移動枠板、  ６４ａ・６４ｂ  左右方向移動枠板の左・右側枠杆、  ６５  左右方向移動ねじ部材、  ６６  軸受、  ６７  左右方向送りねじ杆、  ６８  回転ハンドル、  ６９  横杆、  ７０  スライドシャフト、  ７１  受座、  ７２  スライドべアリング、  ７３  前後方向移動方形枠、  ７３ａ・７３ｂ  前後方向移動方形枠の左・右側枠杆、  ７３ｃ  前後方向移動方形枠の後方側枠杆、  ７３ｄ  前後方向移動方形枠の前方側枠杆、７４  前後移動ねじ部材、  ７５  軸受、  ７６  前後方向送りねじ杆、  ７７  回転ハンドル、  ７８  受座、  ７９  スライドシャフト、  ８０  連結板、  ８１  受座、  ８２  スライドベアリング、  ８３  軸受、  ８４  上下移動送りねじ杆、  ８５  軸受、  ８６  回転ハンドル、  ８７  送りナット、  ８８  連結プレート、  ８９  取付プレート、  ９０  連結シャフト、  ９１  固定具、  ９２  保持杆、  ９３  支持杆、  ９４  台板、  ９５  ねじ杆、  ９６  折曲部、  ９７  水平返し墨、  ９８  センター返し墨、  ９９  垂直返し墨、  Ｋ  取付開口部、  Ｗ  壁面。
【図１】
0006023135.tif 000002
【図２】
0006023135.tif 000003
【図３】
0006023135.tif 000004
【図４】
0006023135.tif 000005
【図５】
0006023135.tif 000006
【図６】
0006023135.tif 000007
【図７】
0006023135.tif 000008
【図８】
0006023135.tif 000009
【図９】
0006023135.tif 000010
【図１０】
0006023135.tif 000011
【図１１】
0006023135.tif 000012
【図１２】
0006023135.tif 000013
【図１３】
0006023135.tif 000014
【図１４】
0006023135.tif 000015
【図１５】
0006023135.tif 000016
【図１６】
0006023135.tif 000017